(57)【要約】【課題】最も確実な情報であるＴＣＦ信号の受信時に受信し、記憶したトレーニング情報に基づいて、画信号の受信が可能であり、画信号受信でのエラーが激減し、また、ＥＣＭモードでＣＴＣ信号受信後に続く画信号を受信する場合、通信速度が変わっていることがあるので、再度、トレーニング情報を記憶することができ、このケースにおいても、画信号の受信を適切に実行することができるファクシミリ装置を提供することを目的とするものである。【解決手段】トレーニング情報の受信したときにおけるトレーニング情報を記憶する手段と、ＥＣＭモードでのＣＴＣ信号を受信する手段と、画信号の受信に先立ち、記憶しているトレーニング情報をモデムにセットする手段とを有し、ＴＣＦ信号受信時と、通信速度が変更になったＥＣＭモードでのＣＴＣ信号の受信後に続く画信号受信時とに、トレーニング情報を記憶する。【選択図】　図１
2004112583.tif 000002
【特許請求の範囲】
【請求項１】
ＩＴＵ−Ｔ勧告Ｖ．１７に基づいた通信を実行可能なファクシミリ装置において、
トレーニング情報の受信したときにおける上記トレーニング情報を記憶する手段と；
ＥＣＭモードでのＣＴＣ信号を受信する手段と；
画信号の受信に先立ち、記憶している上記トレーニング情報をモデムにセットする手段と；
ＣＴＣ信号受信で指定される画信号の通信速度と、直前の画信号の通信速度とを比較する手段と；
を有し、ＴＣＦ信号受信時に、上記トレーニング情報を記憶し、上記比較結果が異なる時は、ＣＴＣ信号の受信後に続く画信号受信時に、トレーニング情報の受信したときにおける上記トレーニング情報を記憶し、一方、上記比較結果が同じである時は、ＣＴＣ信号の受信後に続く画信号受信時に、記憶されているトレーニング情報をモデムに設定した後に、トレーニング信号の受信を実行することを特徴とするファクシミリ装置。
【請求項２】
請求項１において、
ノーマルＧ３モードでの受信時には、上記ＴＣＦ信号受信時にのみ、上記トレーニング情報を記憶することを特徴とするファクシミリ装置。
【請求項３】
請求項１または請求項２において、
上記ＴＣＦ信号受信時には、所定時間、上記ＴＣＦ信号を正しく復調した時点で、上記トレーニング情報を記憶し、一方、ＥＣＭモードでのＣＴＣ信号受信後に続く画信号受信時には、キャリア検出時に、上記トレーニング情報を記憶することを特徴とするファクシミリ装置。
【発明の詳細な説明】
【０００１】
【発明の属する技術分野】
本発明は、ファクシミリ装置、特に、ＩＴＵ−Ｔ勧告Ｖ．１７ファクシミリ通信が可能なファクシミリ装置に関するものである。
【０００２】
【従来の技術】
ＩＴＵ−Ｔ勧告Ｖ．１７ファクシミリ通信が可能な従来のファクシミリ装置では、ロングトレーニング・ＴＣＦ信号受信時のトレーニング情報をフリーズし、ショートトレーニング・画信号受信時は、画信号のキヤリアを検出する度にトレーニング情報をフリーズする。
【０００３】
ここで、トレーニング情報をフリーズしても、ショートトレーニング・画信号の受信に、モデムを設定すると、アダプテイブにトレーニング情報をアップデートする。
【０００４】
【発明が解決しようとする課題】
ところで、ＴＣＦ信号の受信時に受信したトレーニング情報は、その後のＴＣＦ信号で受信良好であり、最も確実な情報である。よって、この情報に基づいて、トレーニング情報を受信することが重要である。
【０００５】
しかし、これを実行することができず、画信号の受信によって、たまたま、エラーが発生すると、場合によっては、その後のトレーニング情報の受信に失敗するという問題がある。
【０００６】
本発明は、最も確実な情報であるＴＣＦ信号の受信時に受信し、記憶したトレーニング情報に基づいて、画信号の受信が可能であり、画信号受信でのエラーが激減し、また、ＥＣＭモードでＣＴＣ信号受信後に続く画信号を受信する場合、通信速度が変わっていれば、再度、トレーニング情報を記憶することができ、通信速度が変わっていなければ、ＣＴＣ信号の受信後に続く画信号受信時に、記憶されているトレーニング情報をモデムに設定した後に、トレーニング信号の受信を実行でき、ＣＴＣ信号で速度変更の指定の無い時は、ＴＣＦで受信したトレーニング情報を受信してトレーニング受信でき、トレーニング受信の成功確率を高めることができるファクシミリ装置を提供することを目的とする。
【０００７】
【課題を解決するための手段】
本発明は、ＩＴＵ−Ｔ勧告Ｖ．１７に基づいた通信を実行可能なファクシミリ装置において、トレーニング情報の受信したときにおける上記トレーニング情報を記憶する手段と、ＥＣＭモードでのＣＴＣ信号を受信する手段と、画信号の受信に先立ち、記憶している上記トレーニング情報をモデムにセットする手段とを有し、ＴＣＦ信号受信時と、通信速度が変更になったＥＣＭモードでのＣＴＣ信号の受信後に続く画信号受信時とに、上記トレーニング情報を記憶するファクシミリ装置である。
【０００８】
ここで、通信速度が同じである時は、ＣＴＣ信号の受信後に続く画信号受信時に、記憶されているトレーニング情報をモデムに設定した後に、トレーニング信号の受信を実行するファクシミリ装置である。
【０００９】
【発明の実施の形態および実施例】
図１は、本発明の一実施例であるファクシミリ装置ＦＳ１を示すブロック図である。
【００１０】
ファクシミリ装置ＦＳ１において、ＮＣＵ（網制御装置）２は、電話網をデータ通信等に使用するために、その回線の端末に接続し、電話交換網の接続制御を行い、データ通信路への切り換えを行い、ループの保持を行うものである。また、ＮＣＵ２は、バス２６からの制御によって、電話回線２ａを電話機側に接続（ＣＭＬオフ）し、電話回線２ａをファクシミリ装置側に接続する（ＣＭＬオンする）ものである。なお、通常状態では、電話回線２ａは、電話機４側に接続されている。
【００１１】
ハイブリッド回路６は、送信系の信号と受信系の信号とを分離し、加算回路１２からの送信信号を、ＮＣＵ２経由で電話回線２ａに送出し、相手側からの信号を、ＮＣＵ２経由で受け取り、信号線６ａ経由で変復調器８に送るものである。
【００１２】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１３】
発呼回路１０は、バス２６からの信号によって、電話番号情報を入力し、信号線１０ａにＤＴＭＦの選択信号を出力する。
【００１４】
加算回路１２は、信号線８ａの情報と信号線１０ａの情報とを入力し、加算した結果を信号線１２ａに出力する。読取回路１４は、読み取りデータをバス２６に出力する。記録回路１６は、バス２６に出力されている情報を順次、１ライン毎に記録する。
【００１５】
メモリ回路１８は、ワーク用のメモリ（ＲＡＭ）、さらに、読み取りデータの生情報、または、符号化した情報を格納し、また、受信情報、または、復号化した情報等をバス２６を介して、格納するために使用する。
【００１６】
操作部２０は、ワンタッチダイヤル、短縮ダイヤル、テンキー、＊キー、＃キー、スタートキー、ストップキー、セットキー、その他のファンクションキーがあり、押下されたキー情報は、バス２６に出力される。操作部２０には、表示部が設けられ、バス２６に出力されている情報を入力し、表示する。
【００１７】
ＣＰＵ（中央処理装置）２２は、ファクシミリ装置ＦＳ１の全体を制御し、ファクシミリ伝送制御手順を実行し、その制御プログラムは、ＲＯＭ２４に格納される。
【００１８】
図２は、上記実施例において、プロトコルと、トレーニング受信成功を表す情報と、キャリア検出を表す情報とを示す図である。
【００１９】
ここで、ＣＰＵ２２から、モデムに対して、ＴＣＦ信号を受信し、１秒連続の０信号を検出するとトレーニングデータのフリーズを指定し、また、画信号の受信によってキャリアを検出すると、トレーニングデータのフリーズを指定する。
【００２０】
また、ＣＰＵ２２は、モデムからＴＣＦ信号を受信し、１秒連続の０信号を検出すると、ＣＰＵ２２がメモリ１８にトレーニングデータを入力し、記憶し、また、ＣＦＲ信号を送信した後に、ＣＰＵ２２から、モデムに対して、記憶してあるトレーニングデータをセットする。
【００２１】
画信号を受信し、エラーがあると、ＰＰＲ信号を送信し、ショートトレーニング・画信号を受信すると、▲１▼に進み、また、ＣＴＣ信号を受信すると、ＣＴＲ信号を送信し、ＣＴＲ信号の送信終了後、ＣＰＵ２２から、トレーニングデータのフリーズ解除を、モデムに指定する。その後、ロングトレーニング・画信号の受信へ移行し、キヤリアを検出したときに、ＣＰＵ２２は、モデムからトレーニングデータを入力し、メモリ１８に記憶する。
【００２２】
ＲＯＭ２４に格納されている制御プログラムは、ＩＴＵ−Ｔ勧告Ｖ．１７に基づいた通信を実行可能なファクシミリ装置において、トレーニング情報を受信したときにおけるトレーニング情報を記憶する手段を実現する例であり、また、ＥＣＭモードでのＣＴＣ信号を受信する手段を実現する例であり、画信号の受信に先立ち、記憶しているトレーニング情報をモデムにセットする手段を実現する例であり、ＴＣＦ信号受信時と、ＥＣＭモードでのＣＴＣ信号受信後に続く画信号受信時とに、上記トレーニング情報を記憶する例である。
【００２３】
具体的には、ノーマルＧ３モードでの受信時には、ＣＰＵ２２は、ＴＣＦ信号受信時のみに、トレーニング情報をメモリ１８に記憶する。また、ＥＣＭモードにおいて、ＴＣＦ信号受信時には、所定時間ＴＣＦ信号を正しく復調した時点で、ＣＰＵ２２はメモリ１８にトレーニング情報を記憶し、また、通信速度が変更になったＣＴＣ信号受信後に続く画信号受信時には、ＣＰＵ２２は、キャリア検出時にトレーニング情報をメモリ１８に記憶する。
【００２４】
ここで、通信速度が変更になっていないＣＴＣ信号を受信時は、ＴＣＦ信号を受信時にメモリ１８に記憶してあるトレーニング情報をＣＰＵ２２に入力後、モデムにセットして、画信号の受信をする。
【００２５】
図３、図４、図５、図６、図７、図８は、上記実施例の動作を示すフローチャートである。
【００２６】
Ｓ２では、バス２６を介して、メモリ１８をイニシャライズし、Ｓ４では、バス２６を介して、操作部の表示部をクリアし、Ｓ６では、バス２６を介して、ＮＣＵ２のＣＭＬをオフする。
【００２７】
Ｓ８では、ファクシミリ受信が選択されたか否かを判断し、ファクシミリ受信が選択されていれば、ステップＳ１２に進み、ファクシミリ受信が選択されていなければ、ステップＳ１０に進み、その他の処理を実行する。
【００２８】
Ｓ１２では、バス２６を介して、ＮＣＵ２のＣＭＬをオンし、Ｓ１４では、タイマＴ１に３５秒をセットし、Ｓ１６では、ＡＮＳａｍＴｉｍｅｒに５秒をセットし、Ｓ１８では、ＡＮＳａｍ信号を送信する。
【００２９】
Ｓ２０では、ＣＭ信号を検出したか否かを判断し、ＣＭ信号を検出していれば、ステップＳ２２に進み、ＣＭ信号を検出していなければ、ステップＳ２４に進み、Ｓ２２では、残りのＶ．８手順、Ｖ．３４画伝送、Ｖ．３４手順の実行を表している。
【００３０】
Ｓ２４では、ＡＮＳａｍＴｉｍｅｒがタイムオーバしたか否かを判断し、タイムオーバしていれば、ステップＳ２６に進み、タイムオーバしていなければ、ステップＳ２０に進む。
【００３１】
Ｓ２６では、Ｖ．２１のＮＳＦ／ＣＳＩ／ＤＩＳ信号を送信し、Ｓ２８では、タイマＴ４に３秒をセットする。
【００３２】
Ｓ３０では、Ｖ．２１のＮＳＳ／ＴＳＩ／ＤＣＳ信号を受信したか否かを判断し、ＮＳＳ／ＴＳＩ／ＤＣＳ信号を受信していれば、ステップＳ４０に進み、ＮＳＳ／ＴＳＩ／ＤＣＳ信号を受信していなければ、ステップＳ３２に進む。
【００３３】
Ｓ３２では、Ｖ．８のＣＩ信号を受信したか否かを判断し、Ｖ．８のＣＩ信号を受信していれば、ステップＳ３４に進み、Ｖ．８のＣＩ信号を受信していなければ、ステップＳ３６に進む。
【００３４】
Ｓ３４では、Ｔ１タイマがタイムオーバしたか否かを判断し、Ｔ１タイマがタイムオーバしていれば、ステップＳ６に進み、Ｔ１タイマがタイムオーバしていなければ、ステップＳ１６に進む。
【００３５】
Ｓ３６では、Ｔ４タイマがタイムオーバしたか否かを判断し、Ｔ４タイマがタイムオーバしていれば、ステップＳ３８に進み、Ｔ４タイマがタイムオーバしていなければ、ステップＳ３０に進む。
【００３６】
Ｓ３８では、Ｔ１タイマがタイムオーバしたか否かを判断し、Ｔ１タイマがタイムオーバしていれば、ステップＳ６に進み、Ｔ１タイマがタイムオーバしていなければ、ステップＳ２６に進む。
【００３７】
Ｓ４０では、Ｖ．２１のＮＳＳ／ＴＳＩ／ＤＣＳ信号を受信し、Ｓ４２では、ＩＴＵ−Ｔ勧告Ｖ．１７による通信であるか否かを判断し、ＩＴＵ−Ｔ勧告Ｖ．１７による通信であれば、ステップＳ４８に進み、ＩＴＵ−Ｔ勧告Ｖ．１７による通信でなければ、ステップＳ４４に進む。
【００３８】
Ｓ４４では、画信号の受信処理を実行し、Ｓ４６では、後手順を実行し、Ｓ４８では、Ｌｏｎｇ・Ｔｒ（ロングトレーニング）／ＴＣＦ信号を受信する。
【００３９】
Ｓ５０では、１秒間、連続したＴＣＦ信号「０」を検出したか否かを判断し、ＴＣＦ信号「０」を検出していれば、ステップＳ５８に進み、ＴＣＦ信号「０」を検出していなければ、ステップＳ５２に進む。
【００４０】
Ｓ５２では、Ｌｏｎｇ・Ｔｒ（ロングトレーニング）／ＴＣＦ信号の受信が終了したか否かを判断し、Ｌｏｎｇ・Ｔｒ（ロングトレーニング）／ＴＣＦ信号の受信が終了していれば、ステップＳ５４に進み、Ｌｏｎｇ・Ｔｒ（ロングトレーニング）／ＴＣＦ信号の受信が終了していなければ、ステップＳ４８に進む。
【００４１】
Ｓ５４では、Ｔ１タイマがタイムオーバしたか否かを判断し、Ｔ１タイマがタイムオーバしていれば、ステップＳ６に進み、Ｔ１タイマがタイムオーバしていなければ、ステップＳ５６に進む。
【００４２】
Ｓ５６では、Ｖ．２１のＦＴＴ信号を送信し、Ｓ５８では、モデムに、「トレーニングデータをフリーズすることを命令」する。ここで、トレーニングデータをフリーズ時は、通常は、完全フリーズであるが、Ｌｏｎｇ・Ｔｒ（ロングトレーニング）／ＴＣＦ信号の受信、Ｓｈｏｒｔ・Ｔｒ（ショートトレーニング）／画信号、Ｌｏｎｇ・Ｔｒ（ロングトレーニング）／画信号の受信時は、適応型にゆっくりと、トレーニングデータを調整する。
【００４３】
Ｓ６０では、モデムから、「トレーニングデータを入力し、メモリ１８に記憶する」。Ｓ６２では、ＴＣＦ信号の受信後に、Ｖ．２１のＣＦＲ信号を送信し、ＴＣＦ信号の受信結果は良好とする。
【００４４】
Ｓ６４では、モデムに、「記憶してあるトレーニングデータをセット」し、Ｓ６６では、Ｓｈｏｒｔ・Ｔｒ（ショートトレーニング）／画信号を受信する。
【００４５】
Ｓ６８では、Ｖ．２１のＣＴＣ信号を受信したか否かを判断し、Ｖ．２１のＣＴＣ信号を受信していれば、ステップＳ８２に進み、Ｖ．２１のＣＴＣ信号を受信していなければ、ステップＳ７０に進む。
【００４６】
Ｓ７０では、キャリアを検出したか否かを判断し、キャリアを検出していれば、ステップＳ７２に進み、キャリアを検出していなければ、ステップＳ６６に進む。ここで、Ｓ６６へのループでは、無効な回線捕捉を防止するタイマがあるが、ここでは、省略する。
【００４７】
Ｓ７２では、モデムに、「トレーニングデータをフリーズすることを命令」し、Ｓ７４では、画信号を受信処理し、Ｓ７６では、中間手順を実行する。
【００４８】
Ｓ７８では、受信画像にエラーがあるか否かを判断し、受信画像にエラーがあれば、ステップＳ８０に進み、受信画像にエラーがなければ、ステップＳ９４に進む。
【００４９】
Ｓ８０では、Ｖ．２１のＰＰＲ信号を送信し、Ｓ８２では、Ｖ．２１のＣＴＲ信号を送信する。
【００５０】
Ｓ８３−１では、ＣＴＣ信号で前回の画信号の通信速度に対して、画信号の速度変更要求があるか否かを判断し、画信号の速度変更要求があれば、ステップＳ８４に進み、画信号の速度変更要求が無ければ、ステップＳ８３−２に進む。
【００５１】
Ｓ８３−２では、モデムに、「記憶してあるトレーニングデータをセット」し、Ｓ８３−３では、ｌｏｎｇ・Ｔｒ（ロングトレーニング）／画信号を受信する。
【００５２】
Ｓ８４では、モデムに、「トレーニングデータのフリーズを解除することを命令」し、Ｓ８６では、Ｌｏｎｇ・Ｔｒ（ロングトレーニング）／画信号を受信する。
【００５３】
Ｓ８８では、キャリアを検出したか否かを判断し、キャリアを検出していれば、ステップＳ９０に進み、キャリアを検出していなければ、ステップＳ８６に進む。ここで、Ｓ８６へのループでは、無効な回線捕捉を防止するタイマがあるがここでは、省略する。
【００５４】
Ｓ９０では、モデムに、「トレーニングデータをフリーズすることを命令」し、Ｓ９２では、モデムから、「トレーニングデータを入力し、メモリ１８に記憶」する。
【００５５】
Ｓ９４では、ＰＰＳ−ＥＯＭ信号を受信したか否かを判断し、ＰＰＳ−ＥＯＭ信号を受信していれば、ステップＳ９８に進み、ＰＰＳ−ＥＯＭ信号を受信していなければ、ステップＳ９６に進む。
【００５６】
Ｓ９６では、ＰＰＳ−ＭＰＳ信号を受信したか否かを判断し、ＰＰＳ−ＭＰＳ信号を受信していれば、ステップＳ１０２に進み、ＰＰＳ−ＭＰＳ信号を受信していなければ（ＰＰＳ−ＥＯＰ信号受信）、ステップＳ１０４に進む。
【００５７】
Ｓ９８では、Ｖ．２１のＭＣＦ信号を送信し、Ｓ１００では、Ｖ．２１のＮＳＦ／ＣＳＩ／ＤＩＳ信号を送信し、Ｓ１０２では、Ｖ．２１のＭＣＦ信号を送信し、Ｓ１０４では、Ｖ．２１のＭＣＦ信号を送信し、Ｓ１０６では、Ｖ．２１のＤＣＮ信号を受信する。
【００５８】
【発明の効果】
本発明によれば、最も確実な情報であるＴＣＦ信号の受信時に受信し、記憶したトレーニング情報に基づいて、画信号の受信が可能であり、画信号受信でのエラーが激減するという効果を奏し、また、ＥＣＭモードでＣＴＣ信号受信後に続く画信号を受信する場合、通信速度が変わっていれば、再度、トレーニング情報を記憶することができ、通信速度が変わっていなければ、記憶してあるトレーニングデータをセットし、ｌｏｎｇ・Ｔｒ（ロングトレーニング）／画信号を受信することができ、受信の成功の確率を高めることができるという効果を奏する。
【図面の簡単な説明】
【図１】本発明の一実施例であるファクシミリ装置ＦＳ１を示すブロック図である。
【図２】上記実施例において、プロトコルと、トレーニング受信成功を表す情報と、キャリア検出を表す情報とを示す図である。
【図３】上記実施例の動作を示すフローチャートである。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【図８】上記実施例の動作を示すフローチャートである。
【符号の説明】
ＦＳ１…ファクシミリ装置、
１８…メモリ、
２０…操作部、
２２…ＣＰＵ、
２４…ＲＯＭ。
【図１】
2004112583.tif 000003
【図２】
2004112583.tif 000004
【図３】
2004112583.tif 000005
【図４】
2004112583.tif 000006
【図５】
2004112583.tif 000007
【図６】
2004112583.tif 000008
【図７】
2004112583.tif 000009
【図８】
2004112583.tif 000010